(57)【特許請求の範囲】
【請求項１】
エラーを検出するエラー検出手段と、そのエラー検出手段で検出したエラーを記憶する記憶手段と、エラーを表示する表示手段と、節電機能の動作中にエラーの復旧作業の開始を検出する復旧検出手段と、記憶手段に記憶したエラーを節電機能の動作中に表示手段に表示するとともに、復旧検出手段からの検出信号に基づいて節電機能の動作を解除する制御手段とを備え、
制御手段は、節電機能の動作中には、エラー検出手段への電源の供給を遮断する画像処理装置。
【発明の詳細な説明】
【０００１】
【発明の属する技術分野】
本発明は、複写機能付きファクシミリ装置（以下、複合機という）に代表される画像処理装置に関し、より詳しくは、省エネルギーモード（以下、省エネモードという）の節電機能を有する画像処理装置に関するものである。
【０００２】
【従来の技術】
近年、複合機は、省エネルギー化を図るために、電源が入っている状態で各種操作が行なわれずに所定時間が経過した場合や節電キーが操作された場合には、読取部や記録部への電源供給を低減或いは遮断して消費電力を抑制する節電機能、いわゆる省エネモードを備えている。そして、この省エネモードに移行しても、直感的に素早く通常モードに復帰できることを使用者に印象づけるために、表示部への電源供給を維持して、動作状態を表示部に表示する複合機もある。
【０００３】
【発明が解決しようとする課題】
ところで、複合機は、原稿又は記録紙の搬送経路でジャムが発生しているか否かを検出するジャムセンサ、記録紙又はトナーの有無を検出する有無センサ等の複合機のエラーを検出する各種センサを備えている。そして、省エネモード中には、より一層消費電力を抑制するために、これら各種センサへの電源供給をも遮断する構成が好ましい。
【０００４】
ここで、このような省エネモード中には各種センサへの電源供給をも遮断する構成において、省エネモードに移行する前に原稿の搬送経路でジャムが発生し、そのジャムが解除される前に省エネモードに移行した場合を想定する。かかる場合において、省エネモードに移行する前には、原稿ジャムセンサからの検出信号に基づいて、原稿のジャムが発生している旨が表示部に表示される。そして、この状態で所定時間が経過し、省エネモードに移行すると、原稿ジャムセンサへの電源供給が遮断される。
【０００５】
その結果、原稿ジャムセンサへの電源供給が遮断されることに基づいて、その原稿ジャムセンサから検出信号が出力されなくなる。そのため、省エネモード中には、表示部への電源供給が維持されても、原稿のジャムが解除されていないにも拘わらず、原稿のジャムが発生している旨が表示部に表示されない。
【０００６】
本発明は、このような問題点に着目してなされたものであって、その目的は、節電機能が動作中であっても、エラーを表示することが可能な画像処理装置を提供することにある。
【０００７】
【課題を解決するための手段】
上記の目的を達成するために、請求項１に記載の発明では、エラーを検出するエラー検出手段と、そのエラー検出手段で検出したエラーを記憶する記憶手段と、エラーを表示する表示手段と、節電機能の動作中にエラーの復旧作業の開始を検出する復旧検出手段と、記憶手段に記憶したエラーを節電機能の動作中に表示手段に表示するとともに、復旧検出手段からの検出信号に基づいて節電機能の動作を解除する制御手段とを備え、制御手段は、節電機能の動作中には、エラー検出手段への電源の供給を遮断する。
【０００９】
【発明の実施の形態】
以下に、本発明に係る画像処理装置を複合機に具体化した一実施形態を図面を用いて説明する。
【００１０】
図１に示すように、複合機１は、ＭＰＵ１１、ＲＯＭ１２、ＲＡＭ１３、読取部１４、記録部１５、操作部１６、表示部１７、画像メモリ１８、コーデック１９、モデム２０及びＮＣＵ（網制御回路）２１を備え、各部１１〜２１がバス２２を介してそれぞれ接続されている。また、複合機１は、原稿ジャムセンサ３１、記録紙ジャムセンサ３２、記録紙有無センサ３３、トナー有無センサ３４、原稿ジャム用開閉センサ４１、記録紙ジャム用開閉センサ４２、カセット用開閉センサ４３、トナー用開閉センサ４４、ＦＢＳ用開閉センサ４５、原稿有無センサ４６及び電源回路５０を備えている。
【００１１】
ＭＰＵ１１は、複合機１を構成する各部を制御する。ＲＯＭ１２は、複合機１を制御するためのプログラムを記憶する。ＲＡＭ１３は、複合機１に関する各種情報、具体的には複合機１のエラーを一時的に記憶する。
【００１２】
読取部１４は、原稿載置板に載置された静止原稿を読み取るフラットベッドスキャナ（ＦＢＳ）及び原稿台に載置された原稿を給送しながら読み取る原稿自動読取部（ＡＤＦ）を備え、原稿の画像を１ライン分ずつ読み取る。そして、その読み取った画像の画データを白黒２値化し、その２値化した１ライン分の画データをコーデック１９に順次出力する。
【００１３】
記録部１５は、電子写真方式のプリンタよりなり、ＦＡＸ動作において受信画データを、コピー動作において読取部１４で読み取った画データを、記録紙上に記録する。
【００１４】
操作部１６は、通常モードから省エネモードに移行させるための節電キー１６ａ、ＦＡＸモード又はコピーモードに設定するためのＦＡＸ／コピーキー、電話番号又はコピー部数等を入力するためのテンキー（＊，＃キーを含む）、原稿の読み取り動作を開始させるためのスタートキー等の各種操作キーを備えている。
【００１５】
ＬＣＤ（液晶ディスプレイ）よりなる表示部１７は、複合機１の動作状態等を示す各種情報の表示を行う。
画像メモリ１８は、読取部１４で読み取られてコーデック１９で符号化された画データや、受信画データを一時的に記憶する。コーデック１９は、読取部１４から入力された画データをＭＨ，ＭＲ，ＭＭＲ，ＪＢＩＧ方式等により圧縮して符号化（エンコード）する。また、コーデック１９は、画像メモリ１８から読み出された画データを復号（デコード）する。
【００１６】
モデム２０は、ＩＴＵ（国際電気通信連合）−Ｔ勧告Ｔ．３０に従ったファクシミリ伝送制御手順に基づいて、Ｖ．１７，Ｖ．２７ｔｅｒ，Ｖ．２９等に従った送信データの変調及び受信データの復調を行う。ＮＣＵ２１は、電話回線Ｌを閉結及び開放するとともに、相手先の電話番号に対応したダイヤル信号を送出する機能及び着信を検出する機能を備えている。
【００１７】
原稿ジャムセンサ３１は、原稿台に載置された原稿の搬送経路でジャムが発生しているか否かを、記録紙ジャムセンサ３２は、記録紙カセットに収容された記録紙の搬送経路でジャムが発生しているか否かを、それぞれ検出する。記録紙有無センサ３３は、記録紙カセットに収容される記録紙の有無を、トナー有無センサ３４は、トナーケース又はトナーカートリッジに収容されるトナーの有無を、それぞれ検出する。換言すれば、これら原稿ジャムセンサ３１〜トナー有無センサ３４は、読取部１４又は記録部１５のエラー、具体的には原稿又は記録紙のジャム、記録紙又はトナー切れのエラーを検出する。
【００１８】
原稿ジャム用開閉センサ４１は、原稿台に載置した原稿の搬送経路でジャムが発生した場合に、そのジャムを解除するために開閉するＡＤＦカバーの開閉状態を検出する。記録紙ジャム用開閉センサ４２は、記録紙カセットに収容された記録紙の搬送経路でジャムが発生した場合に、そのジャムを解除するために開閉する記録紙ジャム解除用カバーの開閉状態を検出する。カセット用開閉センサ４３は、記録紙が無くなった場合に、記録紙を補充するために開閉する記録紙カセットの開閉状態を検出する。
【００１９】
トナー用開閉センサ４４は、トナーが無くなった場合に、トナーケース内にトナーを補充又はトナーカートリッジを交換するために開閉するトナー補充用カバーの開閉状態を検出する。ＦＢＳ用開閉センサ４５は、ＦＢＳで原稿を読み取る場合に、原稿載置板に原稿を載置するために開閉するＦＢＳカバーの開閉状態を検出する。原稿有無センサ４６は、原稿台上の原稿の有無を検出する。換言すれば、原稿ジャム用開閉センサ４１〜ＦＢＳ用開閉センサ４５は、読取部１４又は記録部１５のエラーの復旧開始を検出し、原稿有無センサ４６は、複合機１の使用開始を検出する。
【００２０】
電源回路５０は、図１に破線で示すように、各部１１〜１３，１６〜２１及び各種センサ４１〜４６には、通常モード又は省エネモードに拘わらず常時電源を供給する。また、電源回路５０は、図１に１点鎖線で示すように、読取部１４、記録部１５及び各種センサ３１〜３４には、通常モードでは電源を供給するとともに、省エネモードでは電源の供給を遮断する。
【００２１】
次に、複合機１において、省エネモードに移行する前に読取部１４又は記録部１５にエラーが発生して、それらのエラーが復旧される前に通常モードから省エネモードに移行するとき及びその省エネモードから通常モードに復帰するときの動作について、図２に示すフローチャートを用いて説明する。尚、この動作は、ＲＯＭ１２に記憶されたプログラムに基づき、ＭＰＵ１１の制御により実行される。
【００２２】
さて、通常モードの動作中に読取部１４又は記録部１５にエラー、つまり原稿又は記録紙のジャム、記録紙又はトナー切れが発生すると、
図２に示すステップＳ１では、原稿ジャムセンサ３１〜トナー有無センサ３４からの検出信号に基づいて、原稿又は記録紙のジャム、記録紙又はトナー切れのエラーが発生している旨を表示部１７に表示する。
【００２３】
ステップＳ２では、通常モードから省エネモードへの移行条件を満たすまで通常モードを維持する。そして、省エネモードへの移行条件を満たした場合には、ステップＳ３に移行する。具体的には、エラーが発生した状態で、各種操作が行なわれずに所定時間が経過した場合、又は所定時間が経過する前に節電キー１６ａが操作された場合には、ステップＳ３に移行する。
【００２４】
ステップＳ３では、原稿ジャムセンサ３１〜トナー有無センサ３４からの検出信号に基づいて、原稿又は記録紙のジャム、記録紙又はトナー切れのエラーをＲＡＭ１３に記憶する。
【００２５】
ステップＳ４では、通常モードから省エネモードに移行する。具体的には、図１に１点鎖線で示すように、電源回路５０から読取部１４、記録部１５及び原稿ジャムセンサ３１〜トナー有無センサ３４への電源の供給を遮断する。その結果、原稿ジャムセンサ３１〜トナー有無センサ３４への電源供給が遮断されることに基づいて、それら各種センサ３１〜３４からＭＰＵ１１に検出信号が出力されない。そこで、省エネモード中には、前記ステップＳ３においてＲＡＭ１３に記憶したエラーに基づいて、原稿又は記録紙のジャム、記録紙又はトナー切れのエラーが発生している旨を表示部１７に表示する。
【００２６】
ステップＳ５では、省エネモードから通常モードへの復帰要因が発生するまで省エネモードを維持する。そして、通常モードへの復帰要因が発生した場合には、ステップＳ６に移行する。具体的には、ＡＤＦカバー等が開けられた場合又は原稿台に原稿が載置された場合には、原稿ジャム用開閉センサ４１〜原稿有無センサ４６からの検出信号に基づいて、ステップＳ６に移行する。また、ＮＣＵ２１でＦＡＸ着信を検出して受信画データを記録する場合、又は操作部１６からキー入力された場合にも、ステップＳ６に移行する。
【００２７】
ステップＳ６では、省エネモードを解除して通常モードに復帰する。
以上、詳述したように本実施形態によれば、次のような作用、効果を得ることができる。
【００２８】
（１）省エネモードに移行する前に読取部１４又は記録部１５にエラーが発生して、それらのエラーが復旧される前に省エネモードに移行しても、それらのエラーを省エネモードに移行する前にＲＡＭ１３に記憶している。そのため、省エネモードの動作中には、ＲＡＭ１３に記憶したエラーに基づいて、原稿又は記録紙のジャム、記録紙又はトナー切れのエラーが発生している旨が表示部１７に表示される。従って、省エネモードの節電機能が動作中であっても、エラーを表示部１７に表示することができる。
【００２９】
（２）加えて、省エネモードの動作中には、ＲＡＭ１３に記憶したエラーに基づいて、原稿又は記録紙のジャム、記録紙又はトナー切れのエラーが発生している旨を表示部１７に表示している。そのため、省エネモードの動作中には、原稿ジャムセンサ３１〜トナー有無センサ３４からＭＰＵ１１に検出信号を出力する必要がない。その結果、読取部１４又は記録部１５のエラー、具体的には原稿又は記録紙のジャム、記録紙又はトナー切れのエラーを検出する原稿ジャムセンサ３１〜トナー有無センサ３４への電源の供給を遮断することができる。従って、省エネモードの動作中には、より一層消費電力を抑制することができる。
【００３０】
（３）省エネモードが動作中であっても、読取部１４又は記録部１５のエラーの復旧開始を検出する原稿ジャム用開閉センサ４１〜ＦＢＳ用開閉センサ４５及び複合機１の使用開始を検出する原稿有無センサ４６には、電源を供給している。そして、例えば原稿のジャムが発生している場合に、そのジャムを解除するためにＡＤＦカバーが開けられると、原稿ジャム用開閉センサ４１からの検出信号に基づいて、省エネモードを解除して通常モードに復帰している。換言すれば、ＡＤＦカバーが開けられてジャムが解除される場合には、そのジャムによって正常に読み取りが完了しなかった原稿を読み取り直すと判断することができる。そこで、使用者がジャムを解除している時間を利用して、記録部１５に設けられた加熱定着器の温度を定着温度まで昇温させることができる。従って、通常モードに復帰して動作可能になるまでの時間を短縮することができる。つまり、原稿を読み取り直してコピーする場合には、ファーストコピーが完了するまでの時間を短縮することができる。
【００３１】
（４）本実施形態の構成とは異なり、省エネモードの動作中には表示部１７への電源供給を遮断する構成において、例えばコピー完了と同時に記録紙切れのエラーが表示部１７に表示された場合を想定する。かかる場合には、例えば節電キー１６ａが操作されると、省エネモードに移行し、記録紙切れのエラー表示が表示部１７から消去される。そのため、第三者が複合機１を使用開始する場合には、その第三者が記録紙を補充しなければならない。しかし、本実施形態では、例えば節電キー１６ａが操作されて省エネモードに移行しても、記録紙切れのエラー表示が表示部１７に表示されたままである。従って、コピー完了と同時に記録紙切れとなった場合には、そのコピーを実行した使用者に記録紙の補充の必要性を認識させることができる。
【００３２】
なお、前記実施形態は、次のように変更して具体化することも可能である。
・ＲＡＭ１３に複合機１のエラーを記憶する構成に代えて、図３に示すように、原稿ジャムセンサ３１〜トナー有無センサ３４とＭＰＵ１１との間に、それぞれラッチ回路Ｌ１〜Ｌ４を設けて、原稿ジャムセンサ３１〜トナー有無センサ３４の検出信号を保持（ラッチ）する構成としてもよい。尚、ラッチ回路Ｌ１〜Ｌ４を設けた点以外は、図１に示す前記実施形態の構成と同様である。このように構成すれば、原稿ジャムセンサ３１〜トナー有無センサ３４の検出信号がラッチ回路Ｌ１〜Ｌ４で保持される。このため、省エネモード中には、ラッチ回路Ｌ１〜Ｌ４で保持された原稿ジャムセンサ３１〜トナー有無センサ３４の検出信号に基づいて、原稿又は記録紙のジャム、記録紙又はトナー切れのエラーが発生している旨を表示部１７に表示することができる。
【００３３】
・本実施形態をコピー機、ＡＤＦタイプのスキャナ又はプリンタに具体化してもよい。
さらに、上記実施形態より把握される技術的思想について、以下にそれらの効果と共に記載する。
【００３４】
〔１〕使用開始を検出する使用検出手段を備え、制御手段は、使用検出手段からの検出信号に基づいて、節電機能の動作を解除する。このように構成すれば、通常機能に復帰して動作可能になるまでの時間を短縮することができる。
【００３５】
〔２〕エラー検出手段は、原稿を読み取る読取手段及び画データを記録紙に記録する記録手段の少なくとも一方のエラーを検出する。このように構成すれば、節電機能が動作中であっても、読取手段又は記録手段のエラーを表示することができる。
【００３６】
〔３〕記憶手段は、エラー検出手段の検出信号を保持するラッチ回路である。このように構成すれば、節電機能が動作中であっても、エラーを表示することができる。
【００３７】
【発明の効果】
本発明は、以上のように構成されているため、次のような効果を奏する。
各請求項に記載の発明によれば、節電機能が動作中であっても、エラーを表示することができる。
【図面の簡単な説明】
【図１】複合機の構成を示すブロック図。
【図２】通常モードから省エネモードに移行するとき及びその省エネモードから通常モードに復帰するときの動作を示すフローチャート。
【図３】別の実施形態における複合機の要部構成を示すブロック図。
【符号の説明】
１…画像処理装置としての複合機、１１…制御手段を構成するＭＰＵ、１２…制御手段を構成するＲＯＭ、１３…制御手段及び記憶手段を構成するＲＡＭ、１４…読取手段としての読取部、１５…記録手段としての記録部、１７…表示手段としての表示部、３１…エラー検出手段としての原稿ジャムセンサ、３２…エラー検出手段としての記録紙ジャムセンサ、３３…エラー検出手段としての記録紙有無センサ、３４…エラー検出手段としてのトナー有無センサ、４１…復旧検出手段としての原稿ジャム用開閉センサ、４２…復旧検出手段としての記録紙ジャム用開閉センサ、４３…復旧検出手段としてのカセット用開閉センサ、４４…復旧検出手段としてのトナー用開閉センサ、４５…復旧検出手段としてのＦＢＳ用開閉センサ、４６…使用検出手段としての原稿有無センサ、Ｌ１〜Ｌ４…記憶手段としてのラッチ回路。
【図１】
0003800035.tif 000002
【図２】
0003800035.tif 000003
【図３】
0003800035.tif 000004